(57)【要約】    【課題】盤面に取り付けられたプリンタから吐き出されるプリンタ用紙を用紙の排出力と自己復元力により自然に巻取り状態で収納可能とする。    【解決手段】  この目的を達成するため本発明は次のように構成する。本発明は、監視盤の盤面に配置されたプリンタから排出されたロールタイプのプリンタ用紙を巻き取り状態で収納するプリンタ排出紙収納装置１０は、プリンタ８を配置する盤面２のプリンタ取付開口部９に装着される取付枠１５と、取付枠１５をプリンタ取付開口部９に対し着脱自在に固定する固定部材としてのマグネットゴムシート１８と、取付枠１５と一体に形成され、内面がプリンタ８の用紙排出口１２の上部から前方斜め下方に延在して先端で円弧状に湾曲した後にプリンタ取付開口部９の下縁に戻るロール形状を備えた巻取部１７と、用紙巻取部１７の内側下部に起立されてプリンタ８側から巻取部１７を仕切る仕切り壁２１とを備える。    【選択図】      図４
2006103078.tif 000002
【特許請求の範囲】
【請求項１】
監視盤の盤面に配置されたプリンタから排出されたロールタイプのプリンタ用紙を巻き取り状態で収納するプリンタ排出紙収納装置に於いて、
前記プリンタを配置する盤面のプリンタ取付開口部に装着される取付枠と、
前記取付枠を前記プリンタ取付開口部に対し着脱自在に固定する固定部材と、
前記取付枠と一体に形成され、内面が前記プリンタの用紙排出口の上部から前方斜め下方に延在して先端で円弧状に湾曲した後に前記プリンタ取付開口部の下縁に戻るロール形状を備えた用紙巻取部と、
前記用紙巻取部の内側下部に起立されてプリンタ側から前記用紙巻取部内を仕切る仕切壁と、
を備えたことを特徴とするプリンタ排出紙収納装置。
【請求項２】
請求項１記載のプリンタ排出紙収納装置に於いて、前記固定部材はシート状の磁石部材、粘着テープ又はファスナーテープであることを特徴とするプリンタ排出紙収納装置。
【請求項３】
請求項１記載のプリンタ排出紙収納装置に於いて、前記仕切り壁は、前記盤面のプリンタ取付開口部からのプリンタ部位の飛出し量に対応した前記用紙巻取部の内部位置に起立したことを特徴とするプリンタ排出紙収納装置。
【請求項４】
請求項１記載のプリンタ排出紙収納装置に於いて、前記用紙巻取部は、前記プリンタから排出されたプリンタ用紙の印刷内容を視認する透明窓を上部に設けたことを特徴とするプリンタ排出紙収納装置。
【請求項５】
請求項１記載のプリンタ排出紙収納装置に於いて、前記取付枠は、下側枠部分に、指先を掛ける隙間を開口した取外部を形成したことを特徴とするプリンタ排出紙収納装置。
【請求項６】
請求項１記載のプリンタ排出紙収納装置に於いて、前記取付枠、用紙巻取部及び仕切壁は薄肉の合成樹脂で形成されたことを特徴とするプリンタ排出紙収納装置。
【請求項７】
請求項１記載のプリンタ排出紙収納装置に於いて、前記取付枠、用紙巻取部及び仕切壁は硬紙で形成されたことを特徴とするプリンタ排出紙収納装置。
【発明の詳細な説明】
【技術分野】
【０００１】
本発明は、防災受信機等の監視盤の盤面に取り付けられたプリンタから排出されたプリンタ用紙を巻取り状態で収納するプリンタ排出紙収納装置に関する。
【背景技術】
【０００２】
従来、防災受信機にあっては、盤面にプリンタを取り付け、火災受信情報、障害受信情報、点検情報などの火災報知設備の運用に必要な情報を打ち出すようにしている。
【０００３】
図１０は従来の火災受信機１００であり、盤面１０１には火災、ガス漏れなどの代表表示灯、地区表示灯、ディスプレイを備えた表示部１０２と各種の操作スイッチを備えた操作部１０３が設けられ、その下にプリンタ１０４を取り付けている。プリンタ１０４はロールタイプのプリンタ用紙１０５を使用している。
【特許文献１】実願昭５８−６６４２４号のマイクロフィルム（実開昭５９−１７１９５１）
【特許文献２】実願昭５９−４１８８６号のマイクロフィルム（実開昭６０−１５４２１４９）
【特許文献３】特開平１０−１９４５３３号
【発明の開示】
【発明が解決しようとする課題】
【０００４】
しかしながら、このような従来の火災受信機にあっては、盤面１０１に取り付けているプリンタ１０４には、排出された印刷済みのプリンタ用紙１０５を収納する装置がなく、プリント用紙１０５は出しっぱなし状態になっていることが多く、見栄えが良くない。
【０００５】
この問題を解決するためには、例えば電気モータを使用した市販の自動巻取り装置を使用すれば良いが、自動巻取り装置が高価であり、また消費電力が増加し、自動巻取り装置を含めてプリンタを盤面に取付ける構造変更の問題で採用されにくい状況にある。
【０００６】
またプリンタ用紙を収納する簡単な方法として、図１１のように、プリンタ１０４の下に受け箱１０６を設けることもあるが、あくまで一時的にプリンタ用紙１０５を納めておくだけであり、プリンタ用紙１０５を巻き取ることはできないため、プリンタ１０４から排紙される量が多いとプリンタ用紙１０５が受け箱１０６から溢れ出してしまう問題がある。
【０００７】
本発明は、盤面に取り付けられたプリンタから排出されるプリンタ用紙を排出力と用紙の自己回復力により自然巻取り状態で収納可能とするプリンタ排出紙収納装置を提供することを目的とする。
【課題を解決するための手段】
【０００８】
この目的を達成するため本発明は次のように構成する。本発明は、監視盤の盤面に配置されたプリンタから排出されたロールタイプのプリンタ用紙を巻き取り状態で収納するプリンタ排出紙収納装置に於いて、プリンタを配置する盤面のプリンタ取付開口部に装着される取付枠と、取付枠をプリンタ取付開口部に対し着脱自在に固定する固定部材と、取付枠と一体に形成され、内面がプリンタの用紙排出口の上部から前方斜め下方に延在して先端で円弧状に湾曲した後にプリンタ取付開口部の下縁に戻るロール形状を備えた用紙巻取部と、用紙巻取部の内側下部に起立されてプリンタ側から用紙巻取部内を仕切る仕切り壁とを備えたことを特徴とする。
【０００９】
ここで固定部材はシート状の磁石部材、粘着テープ又はファスナーテープである。また仕切り壁は、盤面のプリンタ取付開口部からのプリンタ部位の飛出し量に対応した用紙巻取部の内部位置に起立する。用紙巻取部は、プリンタから排出されたプリンタ用紙の印刷内容を視認する透明窓を上部に設ける。更に、取付枠は、下側枠部分に、指先を掛ける隙間を開口した取外部を形成する。
【００１０】
本発明のプリンタ排出紙収納装置の取付枠、用紙巻取り部及び仕切り壁は薄肉の合成樹脂で形成される。また本発明のプリンタ排出紙収納装置の取付枠、用紙巻取り部及び仕切り壁は硬紙で形成するようにしても良い。
【発明の効果】
【００１１】
本発明によれば、ロールタイプのプリンタ用紙がプリンタから排出される力とロール状に戻る自己回復力を利用し、内面を円弧状とした巻取部に排出させることで、用紙が内面の円弧状の軌道に沿って自然に巻き込まれ、機械的や電気的な力を必要とすることなく排出紙を巻き取り状態として収納することができる。
【００１２】
また盤面のプリンタ取付開口部に対し取付枠によりマグネットやファスナーテープ等の固定部材により着脱自在としているため、プリンタのサイズが多少異なっても、火災受信機に使用されているプリンタであれば、どのようなプリンタについても、後付けにより簡単に取り付けることができる。
【００１３】
また巻取部の上部に透明窓を設けていることで、巻き取られる寸前までのプリンタ排出紙上の印刷内容をそのまま読取ることができる。
【００１４】
更に本発明のプリンタ排出紙収納装置は、合成樹脂シートの真空成型又は圧縮空気成型や、硬紙の切り貼り等といった安価な材料により簡単に製作することができる。
【発明を実施するための最良の形態】
【００１５】
図１は本発明のプリンタ排出紙収納装置を取り付けた火災受信機の説明図である。図１において、火災受信機１は前部となる盤面２に、火災代表灯３、ガス漏れ代表灯４、諸表示部５、ディスプレイ６、各種操作スイッチを備えた操作部７を設け、その下にプリンタ８を取り付けている。
【００１６】
プリンタ８は盤面２に開口形成したプリンタ取付開口部９に収まるように取り付けられており、プリンタ取付開口部９に対し本発明のプリンタ排出収納装置１０を取付け、プリンタ８から排出されるプリンタ用紙を巻き取り状態で収納するようにしている。
【００１７】
図２は本発明によるプリンタ排出紙収納装置の実施形態を盤面に飛び出しのあるプリンタと共に示した説明図である。
【００１８】
図２において、プリンタ８はプリンタ本体１４の前方にプリンタカバー１３を装着しており、プリンタ本体１４の下側にはロール紙収納部１１が形成されている。プリンタカバー１３には用紙排出口１２が設けられ、ロール紙収納部１１に収納されているプリンタ用紙の送り出しを行いながら印刷を行い、印刷の済んだ用紙が用紙排出口１２から排出される。
【００１９】
用紙排出口１２の下側のロール紙収納部１１に対する前柄の部分は、扉１１ａとなっており、扉１１ａは下側をヒンジとして前方に開くことができ、扉１１ａを開いた状態でロール状のプリンタ用紙をロール紙収納部１１に収納し、用紙排出口１２から先端を取り出した状態で扉１１ａを閉じることで、プリンタ８に対しプリンタ用紙をセットすることができる。
【００２０】
ここでプリンタ８にあっては、プリンタ本体１４の奥行き位置方向の寸を含め全体の小型化を図っており、これに伴いロール収納位置の奥行寸法も抑えることで、ロール紙収納部１１の一部がプリンタカバー１３の下部の扉１１ａの部分で前方に飛び出した飛出部１１ｂを形成している。
【００２１】
このようなプリンタ８を図１の火災受信機１の盤面２に設けたプリンタ取付開口部９に取り付けた場合、盤面２の位置から前方に飛出部１１ｂが飛び出して配置されることになる。
【００２２】
図２のプリンタ８の前方を覆うように取り付けられる本発明のプリンタ排出紙収納装置１０は、矩形の取付枠１５に続いて前方に台形状に張り出した本体１６を一体に形成しており、本体１６に対してはさらに前方に巻取部１７を張り出している。即ち、巻取部１７は、その内面がプリンタ８にプリンタ排出紙収納装置１０を取り付けた状態で、用紙排出口１２の上方から前方斜め下方に延在して、先端で円弧状に湾曲した後にプリンタ取付開口部９（図１参照）に戻るロール形状を備えている。
【００２３】
この実施形態において、取付枠１５、本体１６及び巻取部１７は透明な合成樹脂シートの真空形成或いは圧縮空気による形成で製作された透明体であるが、取付枠１５、本体１６及び巻取部１７が透明体でなかった場合には、巻取部１７に破線で示す上部から内部を見ることのできる上部に透明窓１９を形成する。
【００２４】
このような透明窓１９を形成することでプリンタ８の用紙排出口１２から排出された排出用紙に印刷されている印刷内容を巻取部１７の内部における巻取り寸前まで外部から見ることができる。
【００２５】
取付枠１５の裏側には図１に示した火災受信機１の盤面２に形成したプリンタ取付開口部９に対し、着脱自在な固定部材として、この実施形態にあってはマグネットゴムシート１８を設けている。
【００２６】
即ち、図１の火災受信機１の盤面には金属製の扉で作られていることから、ここに取り付けたプリンタ取付開口部９に対し本発明のプリンタ排出紙収納装置１０を着脱自在に取り付ける固定部材としてマグネットゴムシート１８を使用する。
【００２７】
取付枠１５の裏側に設けられて盤面２に対し着脱自在とされる固定部材としては、マグネットゴムシート１８に以外に、ファスナーテープや粘着テープなど適宜の着脱自在な取固定部材が使用できる。すなわち取り付ける盤面２がスチール系の金属材であった場合にはマグネットゴムシート１８が有効であるが、プラスチックなどの合成樹脂のような場合には粘着テープやファスナーテープを使用することになる。
【００２８】
このように取付枠１５の裏側にマグネットゴムシート１８が設けられていることで、本発明のプリンタ排出紙収納装置１０はプリンタ８を取り付けている盤面２のプリンタ取付開口部９に対し、必要に応じて簡単に着脱することができる。即ち、プリンタ８から排出された排出紙が巻取部１７の中にたまって、それ以上、収納できなくなった場合には、マグネットゴムシート１８で装着しているプリンタ排出紙収納装置１０を取り外し、排出用紙を取り出してプリンタ８から切り離すことになる。
【００２９】
図３は図２のプリンタ排出紙収納装置１０に巻取り状態で排出されたプリンタ排出装置の説明図である。図３において、プリンタ８の前面に取付けた本発明のプリンタ排出紙収納装置１０に対しては、プリンタ８から排出された印刷済みのプリンタ排出紙２０が送り込まれ、プリンタ排出用紙２０の先端は巻取部１７の前面のロール形状にそって下向きに送り出されることで巻き込まれ、同時にプリンタ排出紙２０はロール紙を使用していることから、ロール紙としての自己回復力により巻き込まれ、巻取部１７の内部で自然にプリンタ排出紙２０は巻取り状態で収納される。
【００３０】
図４及び図５は図２に示した本発明のプリンタ排出紙収納装置の説明図であり、図４（Ａ）に側面断面図を示しており、図４（Ｂ）に正面図を示し、さらに図５に平面図を示している。
【００３１】
図４（Ａ）において、マグネットゴムシート１８により盤面２のプリンタ取付開口部９に取付られた本発明のプリンタ排出紙収納装置１０は、本体１６から前方に突出した円弧状の巻取部１７を有すると共に、巻取部１７の下部内側のプリンタ８側に仕切壁２１を起立している。
【００３２】
仕切壁２１はプリンタ８の盤面２からの飛出部１１ｂに対応して設けられており、仕切壁２１を形成することで巻取部１７の内部をプリンタ８側から仕切っている。仕切壁２１を設けたことで、プリンタ８から排出された排出紙２０をその排出力と、ロール紙による自己回復力により滑らかに巻取部１７の内面ロール形状にそって自然巻取状態で収納することができる。
【００３３】
もし仕切壁２１がなかった場合にはプリンタ８から排出された排出紙２０の先端は巻取部１７の円弧上のロール面に沿って下方に移動した後、プリンタ８の飛出部１１ｂの下側に当り、自然な巻取りができなくなる。しかし本発明にあっては、巻取部１７の下部の飛出部１１ｂの手前となる位置に仕切壁２１を形成しているため、巻取部１７の円弧状の内面にそって送りだされたプリンタ排出紙２０は、仕切壁２１に当って上方に屈曲しながら内側に巻き込まれ、プリンタ８の飛出部１１ｂに邪魔されることなく自然な巻取りを行なうことができる。
【００３４】
また仕切壁２１は、プリンタ排出紙収納装置１０を盤面２から取り外した際に、巻取り状態で収納しているプリンタ排出紙２０が脱落するのを防いでいる。
【００３５】
プリンタ排出用紙収納部１０は取付枠１５の下端には、指先が入る程度の隙間を形成した取外部２２を形成しており、盤面２からプリンタ排出紙収納装置１０を取り外したい場合には、取外部２２に指をかけて手前に引き剥がすことで、簡単に盤面２から取り外すことができる。
【００３６】
仕切壁２１は弾力性を有するやわらかい部材で構成すれば、飛出部１１ｂに仕切壁２１の表面に接触して隙間ができず、プリンタ排出紙が隙間にはさまることなく、正しく巻取ることができる。また、仕切壁２１が弾力性を有することで飛出部１１ｂの高さが異なる各種のプリンタにも対応することができる。
【００３７】
図６は図２に示したプリンタ排出紙収納装置１０を前面に飛び出しのない他のプリンタ装置に取り付けた場合の説明図であり、図６（Ａ）が側面断面図、図６（Ｂ）が正面図となる。図６（Ａ）において、この実施形態におけるプリンタ２２は図４（Ａ）に示した構造のプリンタに比べるとサイズが大型であり、ロール紙は完全にプリンタ本体２３内に収納されているため、プリンタ２２の前方に図４のプリンタ２２のような飛び出し部１１ｂは持たず、フラットとなっている。
【００３８】
またプリンタ２２はそのサイズが大きく、図６（Ｂ）の正面図から明らかなように本発明のプリンタ排出紙収納装置１０の高さ方向の寸法に対し、プリンタ８の高さ方向の寸法の方が大きくなっている。
【００３９】
このような前面に飛び出しがなく、またサイズの大きなプリンタ２２についても本発明のプリンタ排出紙収納装置１０をそのまま取り付けることができる。すなわち図４のプリンタ８と図６のプリンタ２２では、サイズや前面の飛び出しの有無について相違はあるが使用するロール紙は同サイズのものを使用しており、従ってプリンタ８の用紙排出口１２も図６のプリンタ２２の用紙排出口２４も同一サイズとなっている。
【００４０】
このようにプリンタ８，２２の用紙排出口１２，２４が同一サイズであれば、プリンタ８，２２のサイズの大小にかかわらず本発明のプリンタ排出紙収納装置１０をそのまま使用することができる。仕切壁２１は弾力性を有するためプリンタ２２の表面に接触し、仕切壁２１とプリンタ２２表面の間に隙間ができず、プリンタ排出紙がつまらず、確実に巻取ることができる。
【００４１】
本発明のプリンタ排出紙収納装置１０を取付可能なプリンタとしては、図６（Ｂ）のように巻取部１７の内部横幅Ｗ１に対し、用紙排出部２４から排出されるプリンタ排出紙２０の横幅Ｗ２が小さい関係にあれば、この関係にある全てのプリンタに対し、本発明のプリンタ排出紙収納装置１０を使用することができる。
【００４２】
より具体的には、本発明のプリンタ排出紙収納装置１０における巻取部１７の内部の横幅Ｗ１として、取り付けが予想されるプリンタで使用しているロール紙の横幅Ｗ２をすべて含むような寸法に製作しておくことで、予想されるあらゆるプリンタにつき、本発明のプリンタ排出紙収納装置１０を使用することができる。
【００４３】
図７は硬紙で製作された本発明のプリンタ排出紙収納装置の他の実施形態を前面に飛び出しのあるプリンタと共に示した説明図である。
【００４４】
図７において、プリンタ８は図２と同じものであり、小型化を図ることでロール紙収納部の一部が前方の扉１１ａの部分でロール状に飛び出した飛出部１１ｂを持っている。このようなプリンタ８に対し取り付けられる本発明のプリンタ排出紙収納装置２５は、この実施形態にあっては、硬紙或いは厚紙を切り貼りすることで製作されている。
【００４５】
硬紙で製作されたプリンタ排出紙収納装置２５は、矩形の箱型形状を持つ本体２６の上部及び前部を切り抜いて開放し、その中に円弧状のロール形状を内側に持つように、ほぼ半円柱に巻きまわした形状の巻取部３０を収納している。
【００４６】
本体２６の後部には取付枠２７が屈曲形成されており、取付枠２７の裏面側に盤面に対し着脱自在の固定部材としてマグネットゴムシート２８を設けている。また巻取部３０の上部には透明窓３１が形成されており、巻取部３０の中に排出されて巻き取られたプリンタ排出紙の印字内容を外部から見ることができるようにしている。
【００４７】
図８は図７に示したプリンタ排出紙収納装置２５の説明図であり、図８（Ａ）が側面断面図であり、図８（Ｂ）が正面図である。さらに図９に平面図を示している。
【００４８】
図８（Ａ）において、厚紙で製作されたプリンタ排出紙収納装置２５は、箱型の本体２６の内部に円弧状にまいた巻取部３０を収納しており、巻取部３０に対するプリンタ８側の飛出部１１ｂの手前には仕切壁３２を起立している。また仕切壁３２を起立した下側の部分は指先をいれる隙間となっており、この隙間がプリンタ排出紙収納装置２５を盤面２から取り外す際の取外部３３を形成している。仕切壁３２は飛出部１１ｂの表面側に傾斜していると、排出紙が正しく収納されやすい。
【００４９】
この図８（Ａ）の断面図から明らかなように、プリンタ８から排出されたプリンタ排出紙２０はその先端が巻取部３０の円弧状の内面にそって排出力とロール紙としての自己回復力により下方に移動しながら内側に巻き込まれ、プリンタ排出紙２０の先端は下端を過ぎた後、仕切壁３２に案内されて上方に巻き上げられた後、再び前方に巻き込まれ、プリンタ８からの排出力とロール紙のもつ自己回復力で自然巻取り状態で滑らかに収納される。
【００５０】
またプリンタ排出紙２０の収納状態において印字内容
見たい場合には、図９の平面図から明らかなように、巻取部３０の上部側が透明窓３１となっているため、この透明窓３１を通してプリンタ８から排出されたプリンタ排出紙２０のプリンタ内容を読み取ることができる。また図７乃至図９に示した硬紙で製作されたプリンタ排出紙収納装置２５にあっては、材料コストが極めて安く、また軽量であることから取付が容易になる利点を備えている。
【００５１】
さらに図4（Ａ）のプリンタ排出紙収納装置１０及び図８（Ａ）のプリンタ排出紙収納装置２５のいずれにあっても、巻取部１７，３０の内部に仕切壁２１，３２を起立しているため、下部の取り外し部２２，３３に指をいれて盤面２から取り外した場合、内部に巻取り状態で収納しているプリンタ排出紙２０が脱落してしまうことがなく、巻取部１７，３０にプリンタ排出紙２０を収納した状態でプリンタ８，２２の用紙排出口１２，２４から切り離して用紙を取り出すことができる。
【００５２】
また図４（Ａ）の合成樹脂製のプリンタ排出紙収納装置１０及び図８（Ａ）の硬紙で作られたプリンタ排出紙収納装置２５のいずれにあっても、巻取部１７，３０に収納できるプリンタ排出紙２０の長さは最大で１０乃至１５メートル程度で十分な収納量を確保することができる。
【００５３】
さらに図７乃至図９に示した硬紙で製作されたプリンタ排出紙収納装置２５にあっては、そのコストが安価であることから巻取部３０にプリンタ排出紙２０がいっぱいになった場合には、盤面から取り外してプリンタ８からプリンタ排出紙２０を切り離し、プリンタ排出紙２０を収納したまま保管し、新たな硬紙で作られたプリンタ排出紙収納装置２５を交換して使うような運用の仕方も可能である。
【００５４】
これによってプリンタ排出紙収納装置２５はプリンタ８から排出されたプリンタ排出紙２０の収納と同時に収納の保管にも利用することができる。特に硬紙で作られたプリンタ排出紙収納装置２５はテッシュケースと同等な箱型形状であることから、収納時の積み上げが容易で、収納がより適切にできる。
【００５５】
尚、本発明はその目的と利点を損なうことのない適宜の変形を含み、さらに上記の実施形態に示した数値による限定は受けない。
【図面の簡単な説明】
【００５６】
【図１】本発明のプリンタ排出紙収納装置を取り付けた火災受信機の説明図
【図２】本発明のプリンタ排出紙収納装置の実施形態を前面に飛び出しのあるプリンタと共に示した説明図
【図３】図２のプリンタ排出紙収納装置に巻取り状態で収納されたプリンタ排出紙の説明図
【図４】図２に示した本発明のプリンタ排出紙収納装置の側面断面及び正面の説明図
【図５】図２に示した本発明のプリンタ排出紙収納装置の平面図
【図６】図２に示した本発明のプリンタ排出紙収納装置を全面に飛び出しのない他のプリンタ装置に取り付けた場合の側面断面及び正面の説明図
【図７】硬紙で製作された本発明のプリンタ排出紙収納装置の他の実施形態を全面に飛び出しのあるプリンタと共に示した説明図
【図８】図７に示した本発明のプリンタ排出紙収納装置の側面断面及び正面の説明図
【図９】図７に示した本発明のプリンタ排出紙収納装置の平面図
【図１０】プリンタを取り付けた従来の火災受信機の説明図
【図１１】プリンタに受け箱を取り付けた従来の火災受信機の説明図
【符号の説明】
【００５７】
１：火災受信機
２：盤面
３：火災代表灯
４：ガス漏れ代表灯
５：諸表示灯
６：ディスプレイ
７：操作部
８，２２：プリンタ
９：プリンタ取付開口部
１０，２５：プリンタ排出紙収納装置
１１：ロール紙収納部
１１ａ：扉
１１ｂ：飛出部
１２，２４：用紙排出口
１３：プリンタカバー
１４，２３：プリンタ本体
１５：取付枠
１６，２６：本体
１７，３０：巻取部
１８，２８：マグネットゴムシート
１９，３１：透明窓
２０：プリンタ排出紙
２１，３２：仕切壁
２２，３３：取外部
【図１】
2006103078.tif 000003
【図２】
2006103078.tif 000004
【図３】
2006103078.tif 000005
【図４】
2006103078.tif 000006
【図５】
2006103078.tif 000007
【図６】
2006103078.tif 000008
【図７】
2006103078.tif 000009
【図８】
2006103078.tif 000010
【図９】
2006103078.tif 000011
【図１０】
2006103078.tif 000012
【図１１】
2006103078.tif 000013